(57)【要約】【課題】蓋体の脱落を防止でき、かつ、容易に蓋体を取り外すことができるプロジェクタを提供すること。【解決手段】プロジェクタは、蓋体５が、係合部との係合状態が解かれた状態において開く方向に回動した際に、蓋体５の回動を規制する第１，第２規制部５３，５４を備えている。第２規制部５４は、爪部の抜ける方向への蓋体５の移動を規制する。従って、プロジェクタが天吊りで設置され、蓋体５と係合部との係合状態が解除された際に、蓋体５が自重により回動してしまっても、第１，第２規制部５３，５４により蓋体５の回動および爪部の抜ける方向へ移動を規制でき、蓋体５の脱落を防止できる。また、第１，第２規制部５３，５４は、共に可撓性を有しているので、使用者は蓋体５を回動させることで、容易に各第１，第２規制部５３，５４を凹部４２４から引き抜くことができ、簡単に蓋体５を取り外しできる。【選択図】図１０
2010026303.tif 000002
【特許請求の範囲】
【請求項１】
プロジェクタであって、
光源装置と、
前記光源装置を内部に収納するとともに、天面部における前記光源装置に対応した位置に天面開口部が形成された外装筐体とを備え、
前記外装筐体は、
外縁部に爪部が形成され、前記天面開口部を閉塞する蓋体と、
前記爪部が差し込まれる収納凹部と、前記蓋体と係合して前記天面開口部を前記蓋体で閉塞させることが可能に、かつ前記蓋体との係合状態の解除が可能に構成された係合部とを有する蓋体開閉部とを備え、
前記蓋体開閉部には、凹部が形成され、
前記蓋体には、裏面側から突出するとともに可撓性を有し、前記天面開口部を閉塞した時に前記凹部内に配置される規制部が形成され、
前記規制部は、前記蓋体が前記爪部を中心として開く方向に回動した際に前記蓋体の回動を規制する第１規制部と、前記爪部の抜ける方向への前記蓋体の移動を規制する第２規制部より構成されている
ことを特徴とするプロジェクタ。
【請求項２】
請求項１に記載のプロジェクタにおいて、
前記凹部は、底面が貫通しており、
前記第１規制部は、先端に膨出部が形成され、前記凹部を挿通し、前記蓋体が開く方向に回動した際に、前記膨出部が前記蓋体開閉部の裏面に引っ掛かることにより前記蓋体の回動を規制する
ことを特徴とするプロジェクタ。
【請求項３】
請求項２に記載のプロジェクタにおいて、
前記第１規制部および前記第２規制部は、互いに近接して配置されている
ことを特徴とするプロジェクタ。
【請求項４】
請求項２または請求項３に記載のプロジェクタにおいて、
前記膨出部の基端部分には、先端に向かうに従って前記膨出部が膨出するように傾斜した斜面が形成され、先端部分には、先端に向かうに従って前記膨出部が縮小するように傾斜した斜面が形成されている
ことを特徴とするプロジェクタ。
【請求項５】
請求項１から請求項４のいずれかに記載のプロジェクタにおいて、
前記第２規制部の先端部分には、先端に向かうに従って前記蓋体の回動中心に向かって細くなるように傾斜した斜面が形成されている
ことを特徴とするプロジェクタ。
【請求項６】
請求項１から請求項５のいずれかに記載のプロジェクタにおいて、
前記爪部は、前記蓋体の一端側に設けられ、前記第１規制部および前記第２規制部は、前記蓋体の他端側に設けられている
ことを特徴とするプロジェクタ。
【発明の詳細な説明】
【技術分野】
【０００１】
本発明は、プロジェクタに関する。
【背景技術】
【０００２】
従来、光源装置と、光源装置を内部に収納する外装筐体とを備え、光源装置から射出された光束を変調して拡大投射するプロジェクタが知られている。このようなプロジェクタにおいて、外装筐体の天面部に、光源装置を交換するための天面開口部を有するランプカバー開閉部を形成し、当該天面開口部を、ランプカバー開閉部に対して着脱自在に構成されたランプカバーによって閉塞する構成が知られている（例えば、特許文献１参照）。
【０００３】
具体的に、この特許文献１に記載のプロジェクタにおいて、ランプカバーの一端側には一対の爪部（突出部）が形成され、他端側には係合突起が形成されている。また、ランプカバー開閉部の一端側には、前記爪部が差し込まれてランプカバーを前記爪部を中心として回動可能にする一対の収納凹部（係止凹部）が形成されている。一方、ランプカバー開閉部の他端側には、スライド移動可能に構成されてランプカバーの係合突起と係合する係合部（スライダ部）が設けられている。係合部は、外装筐体外部から差し込まれたドライバ等の工具に押圧されることによってスライド移動し、係合突起との係合状態を解いてランプカバーの他端側を押し上げる。これにより、ランプカバーの他端側が外装筐体から浮いた状態となり、ランプカバーを外装筐体から取り外すことが可能となる。
【０００４】
このような特許文献１に記載のプロジェクタでは、天地が逆の天吊り状態で設置された場合、ランプカバーを取り外す際に、すなわち、工具により係合部とランプカバーの他端側との係合状態を解いた際に、ランプカバーの他端側が、自重によりランプカバーの一端側を中心に回動してしまい、ランプカバーが外装筐体から脱落してしまうおそれがある。
【０００５】
このような問題に対し、特許文献１に記載のプロジェクタでは、天面開口部の内壁に係止凹部が形成されているとともに、ランプカバーの側面に、当該側面から外方に突出し、前記係止凹部内に配置される係止突起が形成されている。これにより、特許文献１に記載のプロジェクタでは、ランプカバーと係合部との係合状態が解かれた際に、ランプカバーの他端側が自重により回動してしまっても、係止突起が係止凹部の壁面に引っ掛かり、ランプカバーを外装筐体に対して係止するので、ランプカバーの脱落を防止できる。
【０００６】
【特許文献１】特開２００６−３４３５０３号公報
【発明の開示】
【発明が解決しようとする課題】
【０００７】
しかしながら、特許文献１に記載のプロジェクタでは、係止突起および係止凹部によってランプカバーを外装筐体に対して係止するので、ランプカバーが大きく重くなった場合、係止突起の係止凹部に対する引っ掛かり量を増大させなければならず、ランプカバーの取り外しが困難になってしまうという問題がある。
【０００８】
本発明の目的は、蓋体の脱落を防止でき、かつ、容易に蓋体を取り外すことができるプロジェクタを提供することにある。
【課題を解決するための手段】
【０００９】
本発明のプロジェクタは、プロジェクタであって、光源装置と、前記光源装置を内部に収納するとともに、天面部における前記光源装置に対応した位置に天面開口部が形成された外装筐体とを備え、前記外装筐体は、外縁部に爪部が形成され、前記天面開口部を閉塞する蓋体と、前記爪部が差し込まれる収納凹部と、前記蓋体と係合して前記天面開口部を前記蓋体で閉塞させることが可能に、かつ前記蓋体との係合状態の解除が可能に構成された係合部とを有する蓋体開閉部とを備え、前記蓋体開閉部には、凹部が形成され、前記蓋体には、裏面側から突出するとともに可撓性を有し、前記天面開口部を閉塞した時に前記凹部内に配置される規制部が形成され、前記規制部は、前記蓋体が前記爪部を中心として開く方向に回動した際に前記蓋体の回動を規制する第１規制部と、前記爪部の抜ける方向への前記蓋体の移動を規制する第２規制部より構成されていることを特徴とする。
【００１０】
本発明によれば、第１規制部は、蓋体の裏面側から突出して可撓性を有し、プロジェクタが天吊り状態で設置され、蓋体が、係合部との係合状態が解かれた状態において自重等により開く方向に所定量回動した際に、天面開口部に形成された凹部の内壁に当接し、蓋体が所定量以上回動することを規制する。
第２規制部は、蓋体の裏面側から突出して可撓性を有し、蓋体が爪部の抜ける方向へ移動した際に、凹部の内壁に当接し、爪部の抜ける方向への蓋体の移動を規制する。また、第２規制部は、自重等により蓋体が開く方向に回動した際に、凹部の内壁に対して当接し、第１規制部と同様に蓋体の回動を規制する。
従って、本発明では、第１，第２規制部により、蓋体の開く方向への回動を規制できるうえ、第２規制部により、蓋体の爪部の抜ける方向への移動を規制できるので、蓋体の蓋体開閉部からの脱落を防止できる。
また、これら二つの第１，第２規制部によって蓋体の脱落を防止するので、従来のように１つの規制部によって蓋体の脱落を防止する場合に比べ、第１規制部の凹部に対する引っ掛かり量を低減できる。加えて、各第１，第２規制部は、共に可撓性を有しているので、蓋体が回動した際には、撓みながら容易に凹部から引き抜かれることとなる。従って、本発明では、各第１，第２規制部によって蓋体の自重等による回動が規制された後、使用者は、蓋体を開く方向に回動させることで、容易に各第１，第２規制部を凹部から引き抜くことができ、簡単に蓋体を取り外すことができる。
【００１１】
本発明のプロジェクタでは、前記凹部は、底面が貫通しており、前記第１規制部は、先端に膨出部が形成され、前記凹部を挿通し、前記蓋体が開く方向に回動した際に、前記膨出部が前記蓋体開閉部の裏面に引っ掛かることにより前記蓋体の回動を規制することが好ましい。
本発明によれば、第１規制部は、先端には膨出部が形成され、蓋体が開く方向に回動した際に、この膨出部が蓋体開閉部の裏面に引っ掛かることにより蓋体の回動を規制する。そのため、第１規制部が従来のように蓋体の側面に形成される場合に比べ、第１規制部の蓋体開閉部に対する接触面積を増大させることができ、蓋体の回動を確実に規制できる。
【００１２】
本発明のプロジェクタでは、前記第１規制部および前記第２規制部は、互いに近接して配置されていることが好ましい。
本発明によれば、第１，第２規制部が互いに近接して配置されているので、蓋体に形成される凹部（貫通孔）を小さくでき、外装筐体内部に収納された光源装置からの光が当該凹部を介して外装筐体外部に漏れ出てしまうことを十分に抑えることができる。
【００１３】
本発明のプロジェクタでは、前記膨出部の基端部分には、先端に向かうに従って前記膨出部が膨出するように傾斜した斜面が形成され、先端部分には、先端に向かうに従って前記膨出部が縮小するように傾斜した斜面が形成されていることが好ましい。
本発明によれば、膨出部の基端部分には、先端に向かうに従って膨出部が膨出するように傾斜した斜面が形成されているので、各第１，第２規制部によって蓋体の自重等による回動が規制された後、使用者が蓋体を開く方向に回動させる際に、第１規制部を凹部から引き抜きやすくなる。また、膨出部の先端部分には、先端に向かうに従って膨出部が縮小するように傾斜した斜面が形成されているので、第１規制部を凹部に差し込みやすくなる。
【００１４】
本発明のプロジェクタでは、前記第２規制部の先端部分には、先端に向かうに従って前記蓋体の回動中心に向かって細くなるように傾斜した斜面が形成されていることが好ましい。
本発明によれば、第２規制部の先端部分には、先端に向かうに従って蓋体の回転方向の外側から内側に向かって細くなるように傾斜した斜面が形成されているので、各第１，第２規制部によって蓋体の回動が規制された後、使用者が蓋体を開く方向に回動させる際に、第２規制部を凹部から引き抜きやすくなる。また、第２規制部を凹部に差し込みやすくなる。
【００１５】
本発明のプロジェクタでは、前記爪部は、前記蓋体の一端側に設けられ、前記第１規制部および前記第２規制部は、前記蓋体の他端側に設けられていることが好ましい。
本発明によれば、第１，第２規制部は、蓋体において、爪部が設けられた一端側とは反対側の他端側に設けられているので、第１，第２規制部が爪部に近接した位置に設けられる場合に比べ、蓋体が回動する際に各第１,第２規制部に掛かる負荷を小さくでき、確実に蓋体の回動を規制できる。
【発明を実施するための最良の形態】
【００１６】
以下、本発明の一実施形態を図面に基づいて説明する。
〔全体構成〕
図１は、本実施形態に係るプロジェクタ１の正面側を示す斜視図、図２は、天吊り状態のプロジェクタ１の背面側を示す斜視図である。なお、以下では、説明の便宜上、画像光の射出方向（前方）を＋Ｚ軸とし、＋Ｚ軸の反対方向（後方）を−Ｚ軸とする。
プロジェクタ１は、光源から射出された光束を画像情報に応じて変調して画像光を形成し、形成した画像光をスクリーン等に拡大投射するものである。このプロジェクタ１は、図１に示すように、外装筐体２と、外装筐体２内に収納された光学ユニット３とを備えている。
【００１７】
〔外装筐体の構成〕
外装筐体２は、合成樹脂製であり、光学ユニット３の上方側を覆うアッパーケース２１と、光学ユニット３の下方側を覆うロアーケース２２と、光学ユニット３の側方側を覆う一対のサイドケース２３とを備え、箱状に構成されている。この外装筐体２の天面部２４において、光源装置３１（図３参照）に対応する位置には、天面開口部４Ａが形成されている。また、天面部２４には、天面開口部４Ａを閉塞する蓋体としてのランプカバー５が着脱自在に取り付けられている。本実施形態では、このランプカバー５を天面部２４から取り外すことで、光源装置３１を交換することができるようになっている。ランプカバー５の外装筐体２に対する係合構造については後述する。
【００１８】
外装筐体２の背面部２５には、外装筐体２内部と連通し、ランプカバー５の天面部２４に対する係合状態を解除するための操作用孔２５１が形成されている。このような外装筐体２内には、光学ユニット３のほか、プロジェクタ１全体を制御する図示しない制御基板や、外部から供給された電力を各構成部材に供給する電源ユニット、光学ユニット３を冷却する冷却ファン等も収納されている。
【００１９】
〔光学ユニットの構成〕
図３は、光学ユニット３の構成を模式的に示す図である。
光学ユニット３は、前述の制御装置による制御の下、光源から射出された光束を画像情報に応じて変調し拡大投射する。この光学ユニット３は、図３に示すように、光源装置３１と、照明光学装置３２と、色分離光学装置３３と、リレー光学装置３４と、光学装置３５と、投射光学装置としての投射レンズ３６と、光学部品用筐体３７とを備えている。各光学部品３１〜３７は、種々の一般的なプロジェクタの光学系として利用されているため、以下では簡略に説明する。
【００２０】
光源装置３１は、光源ランプ３１１、およびリフレクタ３１２を備えている。照明光学装置３２は、レンズアレイ３２１，３２２、偏光変換素子３２３、および重畳レンズ３２４を備えている。色分離光学装置３３は、ダイクロイックミラー３３１，３３２、および反射ミラー３３３を備えている。リレー光学装置３４は、入射側レンズ３４１、リレーレンズ３４２、および反射ミラー３４３，３４４を備えている。光学装置３５は、前記制御装置による制御の下、光源装置３１から射出された光束を画像情報に応じて変調する光変調装置としての３つの液晶パネル３５１（赤色光側を液晶パネル３５１Ｒ、緑色光側を液晶パネル３５１Ｇ、青色光側を液晶パネル３５１Ｂとする）、３つの入射側偏光板３５２、３つの射出側偏光板３５３、および３つの液晶パネル３５１にて変調された光束を合成して画像光（カラー画像）を形成する色合成光学装置としてのクロスダイクロイックプリズム３５４を備えている。投射レンズ３６は、前記画像光を拡大投射する。光学部品用筐体３７は、これら各光学部品３１〜３６を内部に設定された照明光軸Ａに対する所定位置に支持固定する。
【００２１】
〔ランプカバーの構成〕
図４は、外装筐体２およびランプカバー５を示す斜視図である。
図４に示すように、外装筐体２の天面部２４において、光源装置３１に対応する位置には、天面開口部４Ａを有する蓋体開閉部としてのランプカバー開閉部４が設けられており、このランプカバー開閉部４に、ランプカバー５は着脱自在、かつ、後方側（−Ｚ軸側）が開くように回動可能に取り付けられている。
【００２２】
図５は、ランプカバー５の裏側を示す斜視図である。
図５に示すように、ランプカバー５の裏面において、前端側（＋Ｚ軸側）には一対の爪部５１が形成され、後端側（−Ｚ軸側）には、一対の係合突起５２と、規制部としての第１規制部５３および第２規制部５４とが形成されている。
爪部５１は、断面視Ｌ字状に形成され、ランプカバー５の前方へ突出している。この爪部５１が後述するランプカバー開閉部４の収納凹部４２２（図６参照）に差し込まれることにより、ランプカバー５は、前端を中心として回動可能に設けられる。
係合突起５２は、ランプカバー５の裏面側から垂直に突出しており、先端に、前方側へ屈曲した突起側鉤状部５２１が形成されている。この突起側鉤状部５２１の前面は、前方かつ外方に向いた第１突起斜面５２１１となっており、背面は、後方かつ外方に向いた第２突起斜面５２１２となっている。
【００２３】
第１規制部５３は、第２規制部５４と共に、ランプカバー５の回動中心（前端）を中心とする径方向上に沿って設けられている。また、第１規制部５３は、第２規制部５４よりも前記回動中心側に設けられている。この第１規制部５３は、ランプカバー５の裏面側から垂直に突出した板状体であり、可撓性を有している。第１規制部５３の先端には、ランプカバー５の前端側に向かって膨出した膨出部５３１が形成されている。この膨出部５３１の先端側には、先端に向かうに従って膨出部５３１が縮小するように傾斜した第１規制部第１斜面５３１１が形成され、基端側には、先端に向かうに従って膨出部５３１が膨出するように傾斜した第１規制部第２斜面５３１２が形成されている。また、膨出部５３１には、これら各斜面５３１１，５３１２を連結し、ランプカバー５に垂直な連結面５３１３が形成されている。
第２規制部５４は、ランプカバー５の裏面側から垂直に突出した板状体であり、可撓性を有している。この第２規制部５４の背面側の先端部分には、先端に向かうに従ってランプカバー５の回転方向の回動中心に向かって細くなるように傾斜した第２規制部斜面５４１が形成されている。
【００２４】
〔ランプカバー開閉部の構成〕
図６は、ランプカバー開閉部４を示す斜視図である。
ランプカバー開閉部４は、図６に示すように、天面開口部４Ａの内壁としての起立部４１と、起立部４１と接続して天面部２４と平行に延びる段差部４２と、段差部４２の裏面側に取り付けられた係合部４３（図７）とを備えている。
【００２５】
段差部４２には、光源装置３１を取り出すための取出開口４２１が形成されている。また、段差部４２の前端側において、前記一対の爪部５１に対応する位置には、それぞれ収納凹部４２２が形成されている。この収納凹部４２２は、段差部４２から起立部４１にまで延長されている。すなわち、収納凹部４２２は、段差部４２と起立部４１とに跨って形成されており、前述したように、ランプカバー５は、一対の爪部５１がこれら各収納凹部４２２内に収納されることにより、爪部５１を中心に回動可能となる。
また、段差部４２の後端側において、前記一対の係合突起５２に対応する位置には、それぞれ挿通孔４２３が形成され、前記第１，第２規制部５３，５４に対応する位置には、凹部としての挿入孔４２４（底面が貫通した凹部）が形成されている。
【００２６】
図７は、係合部４３を示す断面図である。
係合部４３は、ランプカバー５の係合突起５２と係合する位置である係合位置Ｐ１と、係合突起５２と係合しない位置である非係合位置Ｐ２（図８参照）との間を前後方向にスライド移動可能に設けられている。また、係合部４３は、図示しないばね等の付勢部材により、常に後方側（−Ｚ軸方向）へ付勢されている。
【００２７】
この係合部４３には、図７に示すように、当該係合部４３が係合位置Ｐ１に設置されている際に、各挿通孔４２３を介してランプカバー５の各係合突起５２が挿入される一対の突起挿入口４３１（図７では１つのみ図示）が形成されている。各突起挿入口４３１の内周壁の前面側には、後方に膨出して係合突起５２の突起側鉤状部５２１と係合する係合部側鉤状部４３２が形成されている。この係合部側鉤状部４３２には、係合突起５２の第１突起斜面５２１１と平行な係合部斜面４３２１が形成されている。各突起挿入口４３１の内周壁の後面側には、前方に突出する突出部４３３が形成されている。各突出部４３３の先端には、係合突起５２の第２突起斜面５２１２と平行に傾斜する突出部斜面４３３１が形成されている。係合部４３の背面４３４は、天面部２４に対して垂直に形成されている。
【００２８】
〔係合部の作用〕
図８は、非係合位置Ｐ２に移動した係合部４３を示す断面図である。
このような係合部４３は、図８に示すように、外装筐体２の背面部２５に形成された操作用孔２５１（図２）から外装筐体２内部に差し込まれたドライバ等の工具Ｋにより、背面４３４を前方側へ押圧されると、図示しない付勢部材による後方側への付勢力に抗して前方側（＋Ｚ軸方向：非係合位置Ｐ２）へと移動する。この前方側への移動に伴い、係合部４３は、係合突起５２との係合状態が解除されるとともに、各突出部４３３の突出部斜面４３３１によって、ランプカバー５の各係合突起５２の第２突起斜面５２１２を押圧し、各係合突起５２を押し上げる。これにより、ランプカバー５は、後端側が天面部２４から浮き、前端側に形成された前述の爪部５１を中心として回動可能な状態となる。
【００２９】
〔第１規制部および第２規制部の作用〕
図９は、ランプカバー５と係合部４３とが係合状態にある際の第１，第２規制部５３，５４を示す断面図、図１０は、ランプカバー５が開く方向に所定量回動した際の第１，第２規制部５３，５４を示す断面図である。
ここで、プロジェクタ１が天吊り状態に設置されるなどして、ランプカバー５の他端側が、前述の天面部２４から浮いた状態から自重等によりさらに開く方向に所定量回動した場合、本実施形態では、図９および図１０に示すように、挿入孔４２４内に挿入された第１規制部５３が、第１規制部第２斜面５３１２が段差部４２の裏面（段差部４２における挿入孔４２４との角部）に引っ掛かることにより、ランプカバー５の開く方向への回動を規制する。
【００３０】
図１１は、ランプカバー５が前記所定量よりさらに開く方向に回動した際の第１，第２規制部５３，５４を示す断面図である。
そして、プロジェクタ１が天吊り状態で設置され、図１０の状態から図１１に示すように、ランプカバー５が自重によって第１規制部５３の第１規制部第２斜面５３１２に沿って後方側（−Ｚ軸方向）へずり落ちた場合には、すなわち、ランプカバー５が爪部５１の抜ける方向（後方側）へ移動するとともに開く方向へ回動した際には、第２規制部５４が挿入孔４２４の内壁の後部側に対して当接し、爪部５１の抜ける方向へのランプカバー５の移動を規制するとともにランプカバー５の開く方向への回動を規制する。
【００３１】
このように、本実施形態では、プロジェクタ１が天吊り状態で設置され、ランプカバー５が自重により開く方向に回動してしまっても、第１，第２規制部５３，５４によりランプカバー５の回動を規制できるうえ、爪部５１の抜ける方向へのランプカバー５の移動を規制できるので、ランプカバー５をランプカバー開閉部４に対して係止でき、ランプカバー５のランプカバー開閉部４からの脱落を防止できる。
【００３２】
図１２は、挿入孔４２４から引き抜かれた状態の第１，第２規制部５３，５４を示す断面図である。
そして、第１，第２規制部５３，５４が挿入孔４２４の内壁に当接した図１１の状態から、使用者によりランプカバー５がさらに開く方向に回動することで、第１，第２規制部５３，５４が共に挿入孔４２４の内壁に当接し撓みながら挿入孔４２４から引き抜かれ、図１２に示すように、ランプカバー５がランプカバー開閉部４から取り外すことができる状態となる。
【００３３】
〔ランプカバーの設置方法〕
図１３は、ランプカバー５の設置方法を説明するための断面図である。
一方、ランプカバー５を設置する際には、まず、ランプカバー５の爪部５１を収納凹部４２２に差し込んだ後、図１３に示すように、図示しない付勢部材により後方側に付勢されて係合位置Ｐ１にある係合部４３の係合部側鉤状部４３２上に、係合突起５２の突起側鉤状部５２１が当接するまで、ランプカバー５を閉める方向に回動させる。
【００３４】
このランプカバー５を閉める方向に回動させる際、本実施形態では、第１規制部５３の先端部に第１規制部第１斜面５３１１（図１２）が形成されているとともに、第２規制部５４の先端部に第２規制部斜面５４１（図１２）が形成されているので、当該各斜面５３１１，５４１により、第１，第２規制部５３，５４を容易に挿入孔４２４内に案内できる。そのため、ランプカバー５を閉める方向に回動させる際に、自動的に第１，第２規制部５３，５４を挿入孔４２４内に差し込むことができる。
【００３５】
そして、係合部側鉤状部４３２上に突起側鉤状部５２１が当接した図１３の状態でランプカバー５を押込むと、当該押込みに伴って、係合部側鉤状部４３２が突起側鉤状部５２１によって前方（＋Ｚ軸方向）へと付勢されることにより係合部４３が前方へと移動した後、係合部４３が付勢部材に後方（−Ｚ軸方向）へと付勢されて再び係合位置Ｐ１に移動して突起側鉤状部５２１と係合する（図７）ことにより、ランプカバー５が設置される。
【００３６】
〔本実施形態の効果〕
以上のプロジェクタ１は、以下の効果を奏することができる。
プロジェクタ１は、ランプカバー５が、係合部４３との係合状態が解除された状態において開く方向に回動した際に、ランプカバー５の開く方向への回動を規制する第１，第２規制部５３，５４を備えている。また、第２規制部５４は、爪部５１の抜ける方向へのランプカバー５の移動を規制する。そのため、プロジェクタ１を天吊り状態で設置した場合において、ランプカバー５の他端側（係合突起５２）と係合部４３との係合状態を解除した際に、ランプカバー５の他端側が自重により回動してしまっても、第１，第２規制部５３，５４により、ランプカバー５の回動および爪部５１の抜ける方向へ移動を規制でき、ランプカバー５をランプカバー開閉部４に係止できるので、ランプカバー５のランプカバー開閉部４からの脱落を防止できる。
また、これら二つの第１，第２規制部５３，５４によってランプカバー５の脱落を防止するので、従来のように１つの規制部によってランプカバー５の脱落を防止する場合に比べ、第１規制部５３の挿入孔４２４に対する引っ掛かり量を低減できる。加えて、各第１，第２規制部５３，５４は、共に可撓性を有しているので、ランプカバー５が回動した際には、撓みながら容易に挿入孔４２４から引き抜かれることとなる。従って、各第１，第２規制部５３，５４によってランプカバー５の自重等による回動が規制された後、使用者は、ランプカバー５を開く方向に回動させることで、容易に第１，第２規制部５３，５４を挿入孔４２４から引き抜くことができ、簡単にランプカバー５をランプカバー開閉部４から取り外すことができる。
【００３７】
第１規制部５３は、先端に膨出部５３１が形成され、ランプカバー５が開く方向に回動した際に、この膨出部５３１がランプカバー開閉部４（段差部４２）の裏面に引っ掛かることによりランプカバー５の回動を規制する。そのため、第１規制部５３が従来のようにランプカバー５の側面に形成される場合に比べ、第１規制部５３のランプカバー開閉部４に対する接触面積を増大させることができ、確実にランプカバー５の回動を規制できる。
第１，第２規制部５３，５４が互いに近接して配置されているので、ランプカバー５に形成される挿入孔４２４を小さくでき、光源装置３１からの光が挿入孔４２４を介して外部に漏れ出てしまうことを十分に抑えることができる。
【００３８】
第１規制部５３に形成された膨出部５３１の基端部分には、先端に向かうに従って膨出部５３１が膨出するように傾斜した第１規制部第２斜面５３１２が形成されているので、各第１，第２規制部５３，５４によってランプカバー５の自重等による回動が規制された後、使用者がランプカバー５を開く方向に回動させる際に、第１規制部５３を挿入孔４２４から引き抜きやすくなる。また、膨出部５３１の先端部分には、先端に向かうに従って膨出部５３１が縮小するように傾斜した第１規制部第１斜面５３１１が形成されているので、第１規制部５３を挿入孔４２４に差し込みやすくなる。
【００３９】
第２規制部５４の先端部分には、先端に向かうに従ってランプカバー５の回転方向の外側から内側に向かって細くなるように傾斜した第２規制部斜面５４１が形成されているので、各第１，第２規制部５３，５４によってランプカバー５の自重等による回動が規制された後、使用者がランプカバー５を開く方向に回動させる際に、第２規制部５４を挿入孔４２４から引き抜きやすくなる。また、第２規制部５４を挿入孔４２４に差し込みやすくなる。
【００４０】
第１,第２規制部５３，５４は、ランプカバー５において、爪部５１が設けられた一端側とは反対側の他端側に設けられているので、第１,第２規制部５３，５４が爪部５１に近接した位置に設けられる場合に比べ、ランプカバー５が回動する際に各第１,第２規制部５３，５４に掛かる負荷を小さくでき、確実に各第１,第２規制部５３，５４によってランプカバー５の回動を規制できる。
【００４１】
〔実施形態の変形〕
なお、本発明は前述の実施形態に限定されるものではなく、本発明の目的を達成できる範囲での変形、改良等は本発明に含まれるものである。
例えば、前記実施形態では、第１，第２規制部５３，５４は、ランプカバー５の回動中心を中心とする径方向上に沿って設けられていたが、第１，第２規制部５３，５４は、ランプカバー５の回動中心を中心とする径方向上に沿って設けられていなくともよく、例えば前記径方向と直交する方向に沿って並列に設けられていてもよい。また、第２規制部５４が第１規制部５３よりもランプカバー５の回転中心側（一端側）に設けられていてもよい。この場合、第１規制部５３の膨出部５３１は、ランプカバー５の他端側に向かって膨出していてもよい。
【００４２】
前記実施形態では、凹部は、挿入孔４２４一つであったが、凹部は、各第１，第２規制部５３，５４が挿入される別々の凹部から構成されていてもよい。この場合、第２規制部が挿入される凹部は、底が貫通していなくてもよい。
前記実施形態では、光変調装置は、液晶パネル３５１から構成されていたが、光変調装置は、ＤＭＤ（Digital Micromirror Device:米国テキサスインスツルメント社の商標）から構成されていてもよい。
【産業上の利用可能性】
【００４３】
本発明は、蓋体の脱落を防止でき、かつ、容易に蓋体を取り外すことができるので、プレゼンテーションやホームシアタに用いられるプロジェクタに利用できる。
【図面の簡単な説明】
【００４４】
【図１】本発明の一実施形態に係るプロジェクタの正面側を示す斜視図。
【図２】前記実施形態における天吊り状態のプロジェクタの背面側を示す斜視図。
【図３】前記実施形態における光学ユニットの構成を模式的に示す図。
【図４】前記実施形態における外装筐体およびランプカバーを示す斜視図。
【図５】前記実施形態におけるランプカバーの裏側を示す斜視図。
【図６】前記実施形態におけるランプカバー開閉部を示す斜視図。
【図７】前記実施形態における係合部を示す断面図。
【図８】前記実施形態における非係合位置に移動した係合部を示す断面図。
【図９】前記実施形態におけるランプカバーと係合部とが係合状態にある際の第１，第２規制部を示す断面図。
【図１０】前記実施形態におけるランプカバーが開く方向に所定量回動した際の第１，第２規制部を示す断面図。
【図１１】前記実施形態におけるランプカバーが前記所定量よりさらに開く方向に回動した際の第１，第２規制部を示す断面図。
【図１２】前記実施形態における挿入孔から引き抜かれた状態の第１，第２規制部を示す断面図。
【図１３】前記実施形態におけるランプカバーの設置方法を説明するための断面図。
【符号の説明】
【００４５】
１…プロジェクタ、４…ランプカバー開閉部（蓋体開閉部）、４Ａ…天面開口部、５…ランプカバー（蓋体）、２４…天面部、３１…光源装置、４３…係合部、５１…爪部、５２…係合突起、５３…第１規制部、５４…第２規制部、４２２…収納凹部、４２４…挿入孔（凹部）、５４１…第２規制部斜面（斜面）、５３１１…第１規制部第１斜面（先端側の斜面）、５３１２…第１規制部第２斜面（基端側の斜面）。
【図１】
2010026303.tif 000003
【図２】
2010026303.tif 000004
【図３】
2010026303.tif 000005
【図４】
2010026303.tif 000006
【図５】
2010026303.tif 000007
【図６】
2010026303.tif 000008
【図７】
2010026303.tif 000009
【図８】
2010026303.tif 000010
【図９】
2010026303.tif 000011
【図１０】
2010026303.tif 000012
【図１１】
2010026303.tif 000013
【図１２】
2010026303.tif 000014
【図１３】
2010026303.tif 000015